(57)【要約】【課題】外観に勝れると共に操作性や安全性の面でも勝れた巻取式スクリーン装置を提供する。【解決手段】上方の横枠杆６ａの内部に収容された巻取軸３と、上端を該巻取軸３に巻かれて上下方向に開閉自在のスクリーン２と、該スクリーン２の下端に連結された可動桟１１と、前記スクリーン２を開閉操作する開閉操作装置１０とを有し、該開閉操作装置１０は、前記巻取軸３の一端に連結されたプーリー１８と、第１の縦枠杆7ａに沿って上下動自在のハンドル１９と、該ハンドル１９の操作により前記プーリー１８を回転させる操作コード２０とを有し、該操作コード２０は、２つに折り曲げられてその折曲部に前記ハンドル１９が遊動状態に係合し、一方の第１端２０ａが前記プーリー１８に巻き付けられると共に、他方の第２端２０ｂが、前記ハンドル１９より上方位置で前記第１の縦枠杆７ａに固定されたコード連結部材２６に連結されている。【選択図】図１
2015203267.tif 000002
【特許請求の範囲】
【請求項１】
上下の横枠杆及び左右の縦枠杆からなる矩形のスクリーン枠と、上方の横枠杆の内部に水平な軸線を中心に回転自在なるように収容された巻取軸と、前記スクリーン枠内に、左右の側端部を前記左右の縦枠杆にガイドされて上下方向に開閉自在なるように配設され、上端を前記巻取軸に連結されたスクリーンと、前記スクリーン枠内に、左右の側端部を前記左右の縦枠杆にガイドされて上下方向に移動自在に配設され、前記スクリーンの下端に連結された可動桟と、前記巻取軸を回転させて前記スクリーンを開閉操作する開閉操作装置とを有し、
前記開閉操作装置は、前記巻取軸の軸線方向の一端に連結されたプーリーと、前記左右の縦枠杆のうち前記プーリーが設けられた側に位置する第１の縦枠杆に沿って上下動自在のハンドルと、該ハンドルの操作に連動して前記プーリーを回転させる操作コードとを有し、
前記操作コードは、２つに折り曲げられた状態に配設されていて、折曲部に前記ハンドルが遊動状態に係合し、一方の第１端が前記プーリーに巻き付けられると共に、他方の第２端が、前記ハンドルより上方位置で前記第１の縦枠杆に固定されたコード連結部材に連結されている、
ことを特徴とする巻取式スクリーン装置。
【請求項２】
前記ハンドルは、前記第１の縦枠杆に上下方向に形成されたガイド溝に沿って移動自在であり、該ハンドルの上端部に挿通孔が形成され、該挿通孔に前記操作コードが遊動状態に挿通されていることを特徴とする請求項１に記載の巻取式スクリーン装置。
【請求項３】
前記コード連結部材は、前記プーリーから下向きに延出する前記操作コードを前記第１の縦枠杆の内部に導入するための導入部を有し、該導入部から前記第１の縦枠杆の内部に導入された前記操作コードは、該第１の縦枠杆の内部で、前記ハンドルに係合すると共に前記第２端が前記コード連結部材に連結されていることを特徴とする請求項１又は２に記載の巻取式スクリーン装置。
【請求項４】
前記巻取軸は、捻りに伴う弾性復元力を巻取力として該巻取軸を回転させるコイルばねを内蔵し、前記ハンドルを下降させると、該巻取軸が、前記操作コード及びプーリーを介して前記スクリーンが繰り出される方向に回転させられると共に、該巻取軸の回転により前記コイルばねが捻られて前記巻取力が蓄積されるように構成されたことを特徴とする請求項１から３の何れかに記載の巻取式スクリーン装置。
【請求項５】
前記可動桟と下方の横枠杆とに、前記スクリーンが繰り出されて前記可動桟が最下端まで下降したとき相互に止着し合うラッチ機構が設けられていることを特徴とする請求項４に記載の巻取式スクリーン装置。
【請求項６】
前記巻取軸は、前記ハンドルを下降させると、前記操作コード及びプーリーを介して前記スクリーンを巻き取る方向に回転させられることを特徴とする請求項１から３の何れかに記載の巻取式スクリーン装置。
【請求項７】
前記ハンドルと前記第１の縦枠杆とに、前記スクリーンが巻き取られて前記ハンドルが最下端まで下降した相互に止着し合うラッチ機構が設けられていることを特徴とする請求項６に記載の巻取式スクリーン装置。
【発明の詳細な説明】
【技術分野】
【０００１】
本発明は、防虫、遮光、断熱、目隠し等のために建物開口部に取り付けて使用する巻取式スクリーン装置に関するものであり、特に、スクリーンを巻取軸に巻き取ったり該巻取軸から繰り出したりすることによって上下方向に開閉する縦開き式の巻取式スクリーン装置に関するものである。
【背景技術】
【０００２】
スクリーンを巻取軸に巻き取ったり該巻取軸から繰り出したりすることによって上下方向に開閉する縦開き式の巻取式スクリーン装置は、例えば特許文献１や特許文献２等に開示されているように公知である。この種のスクリーン装置は、一般に、上下の横枠杆及び左右の縦枠杆で構成された矩形のスクリーン枠と、上方の横枠杆の内部に収容された前記巻取軸と、該巻取軸に巻き付けられた前記スクリーンと、前記巻取軸を回転操作して該スクリーンを開閉させる操作コードとを有している。
【０００３】
前記特許文献１に開示されたスクリーン装置は、前記巻取軸がコイルばねを内蔵し、該コイルばねの捻りに伴う弾性復元力を巻取力としてスクリーンを巻き上げるタイプのもので、該スクリーンの下端に可動桟（操作框）が取り付けられ、該可動桟の中央位置に前記操作コード（操作紐）が連結されている。そして、該操作コードで前記可動桟を引き下げることにより、前記スクリーンが前記巻取軸から引き出されて使用状態（全閉状態）になり、そのとき前記巻取軸の回転によって前記コイルばねが捻られて巻取力が蓄積され、前記可動桟の引き下げ状態を解除すると、前記コイルばねの弾性復元力により前記巻取軸が回転して前記スクリーンが巻き上げられるように構成されている。
【０００４】
一方、前記特許文献２に開示されたスクリーン装置は、巻取軸の一端にスプロケットを取り付け、このスプロケットに操作コードをループ状にして巻き掛け、該操作コードの前方側部分と後方側部分とを手に持って互いに上下逆方向に移動させることにより、前記スプロケットを介して前記巻取軸を正又は逆方向に回転させ、それによって前記スクリーンを開閉させるものである。
【０００５】
ところが、前記特許文献１に開示されたスクリーン装置は、スクリーンの下端に取り付けた可動桟の中央位置に前記操作コードが取り付けられているため、外観上も使用上も好ましくない場合がある。また、前記特許文献２に開示されたスクリーン装置の場合には、前記操作コードの前方側部分と後方側部分との移動方向を間違えて前記巻取軸を逆方向に回転させることがあるなど、操作性が悪いという問題があり、また、ループ状をした前記操作コードにペットや人が引っかかり易いなど、安全性の面でも問題があった。
【先行技術文献】
【特許文献】
【０００６】
【特許文献１】実開平３−１０１７９８号公報
【特許文献２】特開平８−１７７３５０号公報
【発明の概要】
【発明が解決しようとする課題】
【０００７】
本発明の目的は、操作コードの配置を改善することにより、外観に勝れると共に、操作性や安全性の面でも勝れた巻取式スクリーン装置を提供することにある。
【課題を解決するための手段】
【０００８】
前記目的を達成するため、本発明のスクリーン装置は、上下の横枠杆及び左右の縦枠杆からなる矩形のスクリーン枠と、上方の横枠杆の内部に水平な軸線を中心に回転自在なるように収容された巻取軸と、前記スクリーン枠内に、左右の側端部を前記左右の縦枠杆にガイドされて上下方向に開閉自在なるように配設され、上端を前記巻取軸に連結されたスクリーンと、前記スクリーン枠内に、左右の側端部を前記左右の縦枠杆にガイドされて上下方向に移動自在に配設され、前記スクリーンの下端に連結された可動桟と、前記巻取軸を回転させてスクリーンを開閉操作する開閉操作装置とを有し、前記開閉操作装置は、前記巻取軸の軸線方向の一端に連結されたプーリーと、前記左右の縦枠杆のうち前記プーリーが設けられた側に位置する第１の縦枠杆に沿って上下動自在のハンドルと、該ハンドルの操作に連動して前記プーリーを回転させる操作コードとを有し、前記操作コードは、２つに折り曲げられた状態に配設されていて、折曲部に前記ハンドルが遊動状態に係合し、一方の第１端が前記プーリーに巻き付けられると共に、他方の第２端が、前記ハンドルより上方位置で前記第１の縦枠杆に固定されたコード連結部材に連結されていることを特徴とする。
【０００９】
本発明において、前記ハンドルは、前記第１の縦枠杆に上下方向に形成されたガイド溝に沿って移動自在であり、該ハンドルの上端部に挿通孔が形成され、該挿通孔に前記操作コードが遊動状態に挿通されていることが望ましい。
また、前記コード連結部材は、前記プーリーから下向きに延出する前記操作コードを前記第１の縦枠杆の内部に導入するための導入部を有し、該導入部から前記第１の縦枠杆の内部に導入された前記操作コードは、該第１の縦枠杆の内部で、前記ハンドルに係合すると共に前記第２端が前記コード連結部材に連結されていることが望ましい。
【００１０】
本発明の１つの具体的な構成態様によれば、前記巻取軸が、捻りに伴う弾性復元力を巻取力として該巻取軸を回転させるコイルばねを内蔵し、前記ハンドルを下降させると、該巻取軸が、前記操作コード及びプーリーを介して前記スクリーンが繰り出される方向に回転させられると共に、該巻取軸の回転により前記コイルばねが捻られて前記巻取力が蓄積されるように構成される。
このとき好ましくは、前記可動桟と下方の横枠杆とに、前記スクリーンが繰り出されて前記可動桟が最下端まで下降したとき相互に止着し合うラッチ機構が設けられていることである。
【００１１】
本発明の他の構成態様によれば、前記巻取軸が、前記ハンドルを下降させると、前記操作コード及びプーリーを介して前記スクリーンを巻き取る方向に回転させられるように構成される。
このとき、前記ハンドルと前記第１の縦枠杆とに、前記スクリーンが巻き取られて前記ハンドルが最下端まで下降した相互に止着し合うラッチ機構が設けられていることが望ましい。
【発明の効果】
【００１２】
本発明は、巻取軸を回転操作するハンドル及び操作コードを第１の縦枠杆側に配置し、該ハンドルを第１縦枠杆に沿って上下動させることによってスクリーンを開閉するように構成したので、スクリーンの下端の可動桟の中央に操作コードが取り付けられている従来品に比べ、外観に勝れており、また、ループ状の操作コードを使用する場合のように該操作コードにペットや人が引っかかることがなく、ループ状の操作コードの前方側部分と後方側部分との移動方向を間違えて誤操作することもないため、安全性や操作性の面でも勝れる。
【図面の簡単な説明】
【００１３】
【図１】本発明に係る巻取式スクリーン装置の第１実施形態を示す部分破断正面図である。
【図２】図１のＩＩ−ＩＩ線での拡大断面図である。
【図３】図１のＩＩＩ−ＩＩＩ線での断面図である。
【図４】前記第１実施形態における巻取軸の回転操作機構のみを示す正面図である。
【図５】図４の左側面図である。
【図６】本発明に係る巻取式スクリーン装置の第２実施形態を示す部分破断正面図である。
【図７】図６のＶＩＩ−ＶＩＩ線での拡大断面図である。
【図８】前記第２実施形態における巻取軸の回転操作機構のみを示す側面図である。
【発明を実施するための形態】
【００１４】
図１−図３は本発明に係る巻取式スクリーン装置の第１実施形態を示すものである。この第１実施形態のスクリーン装置１Ａは、スクリーン２を巻取軸３に巻き取ったり該巻取軸３から繰り出したりすることによって上下方向に開閉する縦開き式のスクリーン装置であり、且つ、前記巻取軸３がコイルばね４を内蔵し、該コイルばね４の捻りに伴う弾性復元力を巻取力としてスクリーン２を自動的に巻き上げるタイプのものである。
【００１５】
前記スクリーン装置１Ａは、上下の横枠杆６ａ，６ｂ及び左右の縦枠杆７ａ，７ｂからなる矩形のスクリーン枠５を有している。前記上下の横枠杆６ａ，６ｂのうち上方の横枠杆６ａは、下方の横枠杆６ｂより容積の大きいボックス形に形成されていて、該上方の横枠杆６ａの内部に、円筒形をした前記巻取軸３が、両端を該上方の横枠杆６ａの両端部に形成された軸受部８ａ，８ｂに支持されて、水平な軸線を中心に回転自在なるように配設され、該巻取軸３の内部に前記コイルばね４が内蔵されている。
【００１６】
前記コイルばね４の一端４ａは前記上方の横枠杆６ａの端部に固定され、該コイルばね４の他端４ｂは前記巻取軸３の内部において該巻取軸３に固定されており、後述する開閉操作装置１０により前記巻取軸３を回転させて該巻取軸３から前記スクリーン２を繰り出したとき、前記コイルばね４が捻られて巻取力が蓄積され、前記スクリーン２を巻き取るとき、前記コイルばね４により前記巻取軸３が駆動回転されて前記スクリーン２が自動的に巻き取られるように構成されている。
【００１７】
前記スクリーン２は、図示の例では防虫ネットであって、その上端部が前記巻取軸３に連結されると共に、該巻取軸３に巻き付けられており、その巻き付け方向は、図２及び図５において、前記巻取軸３を時計回り（正方向）に回転させると該スクリーン２が巻き取られ、前記巻取軸３を反時計回り（逆方向）に回転させると該スクリーン２が繰り出される方向である。
【００１８】
また、前記スクリーン２の下端部には、可動桟１１が連結されている。この可動桟１１は、左右の側端部が前記左右の縦枠杆７ａ，７ｂの内側面に上下方向に形成された桟案内溝１２内に嵌合することにより、該桟案内溝１２に沿って前記スクリーン枠５内を上下動自在であり、前記スクリーン２の下端部に取り付けられた係止体１３ａを、該可動桟１１の連結溝１１ａ内に該可動桟１１の長手方向の端部から挿入して該連結溝１１ａの内縁に係止させることにより、該可動桟１１が前記スクリーン２の下端に連結されている。
【００１９】
前記スクリーン２の左右両側端部には、前記下端部の係止体１３ａと同様の係止体１３ｂが取り付けられ、該係止体１３ｂが、前記左右の縦枠杆７ａ，７ｂの内側面に上下方向に形成されたスリット１４内に挿入され、該スリット１４の内縁に係止することにより、前記スクリーン２が、前記左右の縦枠杆７ａ，７ｂにガイドされて上下方向に開閉するように構成されている。
【００２０】
前記係止体１３ａ，１３ｂは、前記スクリーン２の前記側端部及び下端部に接着や逢着あるいは溶着等の適宜手段で取り付けられた布テープ１５の縁に、複数の突起を断続的に取り付けたり、連続する柔軟な突条を取り付けたりすることによって形成することができるが、好ましくは、互いに噛み合う小片を２つの布テープの縁に取り付けた一対の噛合帯からなるファスナーの、一方の噛合帯を前記ネットの端部に取り付けることにより、前記係止体１３ａ，１３ｂを形成することである。
【００２１】
前記スクリーン２を開閉操作する前記開閉操作装置１０は、図２、図４及び図５から良く分かるように、前記巻取軸３の軸線方向の一端に連結されたプーリー１８と、前記左右の縦枠杆７ａ，７ｂのうち前記プーリー１８が設けられた側に位置する第１の縦枠杆７ａに沿って上下動自在のハンドル１９と、該ハンドル１９の上下動操作に連動して前記プーリー１８を回転させる操作コード２０とを有している。
【００２２】
前記プーリー１８は、前記巻取軸３の端部に取付部材１８ａを介して固定されていて、該巻取軸３と一体になって正逆両方向に回転する。
一方、前記ハンドル１９は、縦に細長い板状の基板部２１と、該基板部２１に一体に形成されたコ字形の握持部２２とを有していて、前記基板部２１の裏面中央部に係止突条２３が上下方向に細長く形成され、該係止突条２３が、前記第１の縦枠杆７ａの前側面に上下方向に細長く形成されたガイド溝２４（図１参照）内に嵌合して該ガイド溝２４の溝縁に内側から係止することにより、該ガイド溝２４に沿って上下動自在なるように構成されている。前記基板部２１の裏面には、前記係止突条２３の上端部の位置に、前記操作コード２０を挿通するための挿通孔２５が形成されている。
【００２３】
前記操作コード２０は、柔軟な素材により形成されていて、一方の第１端２０ａが前記プーリー１８に連結されて巻き付けられ、他方の第２端２０ｂは、前記ハンドル１９の前記挿通孔２５内に遊動状態に挿通されたあと、上方に向けて折り返され、前記ハンドル１９より上方の位置で前記第１の縦枠杆７ａの前側面に固定されたコード連結部材２６の連結部２６ａに、固定的に連結されている。従って、前記ハンドル１９は、２つに折り曲げられた前記操作コード２０の中間の折曲部に、該ハンドル１９の上下動操作によって前記操作コード２０の長さ方向に相対的に変位自在なるように係合していることになる。
【００２４】
前記プーリー１８に対する前記操作コード２０の巻き付け方向は、図２及び図５において、前記ハンドル１９を下降させて該操作コード２０をプーリー１８から引き出したとき、該プーリー１８及び巻取軸３が反時計回りに回転して前記スクリーン２が繰り出される方向である。
なお、前記ハンドル１９の挿通孔２５の上縁の、前記操作コード２０が接する部分は、摩擦を減らすために滑らかな曲面に形成しておくことが望ましいが、この部分にローラー等の回転部材を回転自在に配置し、この回転部材に前記操作コード２０を巻き掛けても良い。
【００２５】
前記コード連結部材２６は、前記プーリー１８から下向きに延出して前記上方の横枠杆６ａの外部に導出された前記操作コード２０を、前記第１の縦枠杆７ａの内部に導入するための導入部２８を有している。この導入部２８は、前記コード連結部材２６を前後方向に貫通する導入孔２８ａを有し、この導入孔２８ａを通じて前記操作コード２０が、前記第１の縦枠杆７ａの外部から内部へと導入されている。このとき前記コード連結部材２６の、前記操作コード２０が接触する部分２８ｂ，２８ｃは、摩擦を減らす目的で滑らかな曲面に形成されている。
【００２６】
前記第１の縦枠杆７ａの内部に導かれた前記操作コード２０は、該第１の縦枠杆７ａの内部で、前記ハンドル１９に係合すると共に、前記第２端２０ｂが前記コード連結部材２６の連結部２６ａに連結されている。従って、前記第１の縦枠杆７ａの外部に前記操作コード２０が露出しないため、外観的に体裁が良く、また、該操作コード２０にペットや人が引っかかることがないため、安全性の面でも勝れる。
【００２７】
前記操作コード２０は、前記スクリーン２が前記巻取軸３に完全に巻き取られて全開状態にあるとき、前記プーリー１８に最大限巻き取られており、このとき前記可動桟１１及びハンドル１９は、それぞれ上昇端の位置を占めている。図１及び図２は、前記スクリーン２が前記巻取軸３から少しだけ引き出されて半開状態にある場合を示している。
前記スクリーン２の全開状態から、前記ハンドル１９を下降させると、図５に示すように、前記操作コード２０が前記プーリー１８から引き出されるため、該プーリー１８及び巻取軸３は図の反時計回り即ち逆方向に回転し、該巻取軸３から前記スクリーン２が繰り出されると共に、前記コイルばね４が捻られて巻取力が蓄積される。
【００２８】
そして、前記スクリーン２が最大限引き出されて全閉状態になると、前記可動桟１１とハンドル１９も最大限下降し、前記可動桟１１は、下方の横枠杆６ｂに当接する下降端の位置を占める。
このとき、前記可動桟１１には、前記コイルばね４によってスクリーン２の巻き取り方向即ち上向きの力が作用しているため、該可動桟１１を下降端の位置に保持させておくためには、該可動桟１１を前記下方の横枠杆６ｂに止着させておく必要がある。このため、該可動桟１１と下方の横枠杆６ｂとに、相互に止着し合うラッチ機構２９が設けられている。
【００２９】
前記ラッチ機構２９は、前記下方の横枠杆６ｂの上面の複数箇所に取り付けられたマグネット２９ａと、前記可動桟１１の下面の、前記マグネット２９ａと対応する位置に取り付けられた磁性体製の吸着体２９ｂとで構成され、これらのマグネット２９ａと吸着体２９ｂとの相互吸着によって前記可動桟１１が下降端の位置に保持されている。
しかし、前記ラッチ機構２９はこのような構成に限定されず、面ファスナーやフック等によって形成することもできる。
【００３０】
前記スクリーン２を前記巻取軸３により巻き上げて開放させるときには、前記ラッチ機構２９による可動桟１１の前記第１の横枠杆への止着を外せば良い。そうすると、前記スクリーン２は、前記コイルばね４の弾性復元力によって前記巻取軸３に自動的に巻き取られ、全開状態になる。このとき、前記可動桟１１は、前記スクリーン２と一緒に上昇し、前記ハンドル１９は、前記操作コード２０がプーリー１８に巻き取られることによって上昇し、それぞれ上昇端の位置を占める。
【００３１】
前記スクリーン２を開閉操作するときの前記ハンドル１９の操作ストロークは、該ハンドル１９が動滑車と同様の動きをするため、前記可動桟１１の移動ストロークよりも小さく、前記巻取軸３とプーリー１８との大きさの関係にもよるが、該可動桟１１の移動ストロークの１／２以下にすることもできる。このため、前記スクリーン２の開閉操作をハンドル１９の小さい操作ストロークで行うことができ、操作性に勝れる。しかも、操作コードをループ状にした従来装置のように、該操作コードの前方側部分と後方側部分との移動方向を間違えて前記巻取軸３を逆方向に回転させることもないため、誤操作がなく、操作の確実性でも勝れる。
【００３２】
図６−図８は本発明に係る巻取式スクリーン装置の第２実施形態を示すもので、この第２実施形態のスクリーン装置１Ｂが前記第１実施形態のスクリーン装置１Ａと相違する主要な相違点は、巻取軸３に、スクリーン２を自動的に巻き上げるための駆動源であるコイルばねが内蔵されておらず、ハンドル１９の操作によって操作コード２０でプーリー１８及び巻取軸３を回転させ、それによって前記スクリーン２を巻き上げて開放するように構成されている点である。
【００３３】
このため、この第２実施形態のスクリーン装置１Ｂにおいては、図８に示すように、前記操作コード２０の第１端２０ａをプーリー１８に巻き付ける方向が、前記第１実施形態の場合とは逆に、前記ハンドル１９を下降させて該操作コード２０を前記プーリー１８から引き出すとき、該プーリー１８及び巻取軸３が時計回り（正方向）に回転して前記スクリーン２を巻き取る方向である。
【００３４】
これにより、前記スクリーン２が巻取軸３から最大限繰り出されることによって全閉状態にあり、且つ、操作コード２０がプーリー１８に最大限巻き取られて前記ハンドル１９が上昇端に位置している状態から、該ハンドル１９を下降させると、前記操作コード２０がプーリー１８から引き出されることによって該プーリー１８及び巻取軸３が正方向に回転するため、該巻取軸３に前記スクリーン２が巻き取られ、該スクリーン２は全開状態になる。
【００３５】
このとき、可動桟１１は、スクリーン２と一緒に上昇して上昇端の位置を占め、その重量がスクリーン２に下向きに作用することになる。このため、前記ハンドル１９から手を離すと、該可動桟１１の重量によってスクリーン２が巻取軸３から自動的に繰り出され、閉鎖されることになる。
そこで、前記スクリーン２を開放状態に保持させておくためには、前記可動桟１１を上昇端の位置に止着させるか、あるいは前記ハンドル１９を下降端の位置に止着させておく必要があるが、図示した実施形態では、前記ハンドル１９と第１の横枠杆７ａとに、該ハンドル１９を下降端の位置に止着させておくためのラッチ機構３０が設けられている。
【００３６】
前記ラッチ機構３０は、前記第１の縦枠杆７ａの前側面に取り付けられた係止部材３１と、前記ハンドル１９の基板部２１の下端部に取り付けられた弾性係止片３２とを有し、前記ハンドル１９の下降端の位置で、前記弾性係止片３２の鉤部３２ａを前記係止部材３１の鉤部３１ａに係止させることにより、前記ハンドル１９を下降端の位置に止着させておくことができる。
前記ラッチ機構３０による前記ハンドル１９と第１の横枠杆７ａとの係止状態を解除すると、前記スクリーン２は、前記可動桟１１の重量により下降して自動的に閉鎖される。
【００３７】
前記第２実施形態のスクリーン装置１Ｂの前述した構成以外は、前記第１実施形態のスクリーン装置１Ａと実質的に同じであるから、両者の主要な同一構成部分に第１実施形態と同一の符号を付し、その説明は省略する。
【符号の説明】
【００３８】
１Ａ，１Ｂ      スクリーン装置
２      スクリーン
３      巻取軸
４      コイルばね
５      スクリーン枠
６ａ      上方の横枠杆
６ｂ      下方の横枠杆
７ａ      左方の縦枠杆
７ｂ      右方の縦枠杆（第１の縦枠杆）
１０      開閉操作装置
１１      可動桟
１８      プーリー
１９      ハンドル
２０      操作コード
２０ａ      第１端
２０ｂ      第２端
２４      ガイド溝
２５      操作孔
２６      コード連結部材
２８      導入部
２９，３０      ラッチ機構
【図１】
2015203267.tif 000003
【図２】
2015203267.tif 000004
【図３】
2015203267.tif 000005
【図４】
2015203267.tif 000006
【図５】
2015203267.tif 000007
【図６】
2015203267.tif 000008
【図７】
2015203267.tif 000009
【図８】
2015203267.tif 000010